(57)【要約】【課題】記録媒体の除去を良好に行うことが可能な記録装置を提供する。【解決手段】記録用紙Ｐを搬送する搬送方向の上流側に設けられると共に、筐体２０に設けられている第１開口部２１から記録用紙Ｐを送り込むことが可能な給紙トレイ３１と、給紙トレイ３１に設けられ、記録用紙Ｐの幅を規定すると共に、給紙トレイ３１を含む給紙装置３０の壁面部または筐体２０の壁面部２１ａに対して対向して設けられるガイド部材３３と、ガイド部材３３と壁面部との間の隙間部分Ｓ１，Ｓ２を通過させると共に、筐体２０の外部に設けられるインク収容部６０からキャリッジ４１に取り付けられている記録ヘッド４３に向けてインクを供給するインクチューブ５０と、を備えている。【選択図】図１
2013202933.tif 000002
【特許請求の範囲】
【請求項１】
記録媒体を搬送する搬送方向の上流側に設けられると共に、筐体に設けられている第１開口部から前記記録媒体を送り込むことが可能な給紙トレイと、
前記給紙トレイに設けられ、前記記録媒体の幅を規定し、前記筐体に対して対向して設けられるガイド部材と、
前記ガイド部材と前記筐体との間の隙間部分を通過させると共に、前記筐体の外部に設けられるインク収容部からキャリッジに取り付けられている記録ヘッドに向けてインクを供給するインクチューブと、
を具備することを特徴とする記録装置。
【請求項２】
請求項１記載の記録装置であって、
前記ガイド部材は一対設けられていて、当該一対のガイド部材は前記記録媒体の前記幅の両端を規定可能としていて、
一対の前記ガイド部材は、それぞれ前記筐体と対向して設けられ、一対の前記ガイド部材と前記筐体との間には、それぞれ隙間部分が設けられると共に、
前記インクチューブは、それぞれの隙間部分を通過させられる、
ことを特徴とする記録装置。
【請求項３】
請求項１記載の記録装置であって、
前記筐体には、前記第１開口部からの異物の侵入を防ぐ異物受け部材が取り付けられていると共に、
前記異物受け部材は、前記給紙トレイに対して対向する状態で配置されていて、
前記給紙トレイには、前記異物受け部材が当接する当接部が設けられていて、前記異物受け部材と前記当接部とは互いに固定されている、
ことを特徴とする記録装置。
【請求項４】
請求項２記載の記録装置であって、
前記筐体には、前記第１開口部からの異物の侵入を防ぐ異物受け部材が取り付けられていると共に、
前記異物受け部材は、前記給紙トレイに対して対向する状態で配置されていて、
前記給紙トレイには、前記異物受け部材が当接する当接部が設けられていて、前記異物受け部材と前記当接部とは互いに固定されている、
ことを特徴とする記録装置。
【請求項５】
請求項２記載の記録装置であって、
一対の前記ガイド部材のうちの一方のガイド部材は、前記トレイ部材の幅方向に沿ってスライド可能に設けられている可動ガイド部材であると共に、
前記可動ガイド部材と前記筐体との間には、前記インクチューブの通過に対応したスペーサーが設けられている、
ことを特徴とする記録装置。
【請求項６】
請求項４記載の記録装置であって、
一対の前記ガイド部材のうちの一方のガイド部材は、前記トレイ部材の幅方向に沿ってスライド可能に設けられている可動ガイド部材であると共に、
前記可動ガイド部材と前記筐体との間には、前記インクチューブの通過に対応したスペーサーが設けられている、
ことを特徴とする記録装置。
【請求項７】
請求項１記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項８】
請求項２記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項９】
請求項３記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項１０】
請求項４記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項１１】
請求項５記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項１２】
請求項６記載の記録装置であって、
前記筐体のうち前記記録媒体が位置して前記記録ヘッドにより記録が行われる部位よりも前記キャリッジを挟んだ反対側には第２開口部が設けられていて、
前記筐体には、開閉カバーが回動可能に設けられていて、この開閉カバーの回動によって前記第２開口部は開閉させられると共に、
前記キャリッジに対する取付部位から延伸するインクチューブは、前記キャリッジ側から前記第２開口部を通過させられて、さらに前記隙間部分を通過する状態で設けられている、
ことを特徴とする記録装置。
【請求項１３】
請求項７から１２のいずれか１項に記載の記録装置であって、
前記筐体には、前記第２開口部から前記給紙装置に向かう側に天板が設けられていると共に、
前記天板には、前記インクチューブが固定されている、
ことを特徴とする記録装置。
【請求項１４】
記録媒体を搬送する搬送方向の上流側に設けられると共に、筐体に設けられている第１開口部から前記記録媒体を送り込むことが可能であり、第１トレイ部材を有すると共にこの第１トレイ部材から延伸可能な第２トレイ部材を有する給紙トレイと、
前記第２トレイ部材の壁部と前記筐体との間の隙間部分を通過させると共に、前記筐体の外部に設けられるインク収容部からキャリッジに取り付けられている記録ヘッドに向けてインクを供給するインクチューブと、
を具備することを特徴とする記録装置。
【請求項１５】
請求項１４記載の記録装置であって、
前記壁部は、前記記録媒体の幅を規定するガイド部材として機能する、
ことを特徴とする記録装置。
【請求項１６】
請求項１４記載の記録装置であって、
前記第２トレイ部材のうち前記壁部側には当該第２トレイ部材のうち前記記録媒体を載置する載置面から離間する側に向かって突出する突起が設けられていて、
前記突起には、前記インクチューブが引っ掛かる状態で位置している、
ことを特徴とする記録装置。
【請求項１７】
請求項１５記載の記録装置であって、
前記第２トレイ部材のうち前記壁部側には当該第２トレイ部材のうち前記記録媒体を載置する載置面から離間する側に向かって突出する突起が設けられていて、
前記突起には、前記インクチューブが引っ掛かる状態で位置している、
ことを特徴とする記録装置。
【請求項１８】
請求項１６記載の記録装置であって、
前記筐体には、前記第１開口部からの異物の侵入を防ぐ異物受け部材が取り付けられていて、当該異物受け部材は、前記給紙トレイに対して対向する位置に設けられている、
ことを特徴とする記録装置。
【請求項１９】
請求項１７記載の記録装置であって、
前記筐体には、前記第１開口部からの異物の侵入を防ぐ異物受け部材が取り付けられていて、当該異物受け部材は、前記給紙トレイに対して対向する位置に設けられている、
ことを特徴とする記録装置。
【請求項２０】
請求項１８記載の記録装置であって、
前記異物受け部材と前記突起とは互いに固定されている、
ことを特徴とする記録装置。
【請求項２１】
請求項１９記載の記録装置であって、
前記異物受け部材と前記突起とは互いに固定されている、
ことを特徴とする記録装置。
【請求項２２】
請求項１４記載の記録装置であって、
前記第２トレイ部材には、前記記録媒体の幅を規定すると共に前記筐体に対して対向するガイド部材が設けられている、
ことを特徴とする記録装置。
【請求項２３】
請求項１６記載の記録装置であって、
前記第２トレイ部材には、前記記録媒体の幅を規定すると共に前記筐体に対して対向するガイド部材が設けられている、
ことを特徴とする記録装置。
【請求項２４】
請求項１８記載の記録装置であって、
前記第２トレイ部材には、前記記録媒体の幅を規定すると共に前記筐体に対して対向するガイド部材が設けられている、
ことを特徴とする記録装置。
【請求項２５】
請求項２０記載の記録装置であって、
前記第２トレイ部材には、前記記録媒体の幅を規定すると共に前記筐体に対して対向するガイド部材が設けられている、
ことを特徴とする記録装置。
【請求項２６】
請求項２２から２５のいずれか１項に記載の記録装置であって、
前記ガイド部材は一対設けられていて、当該一対のガイド部材は前記記録媒体の前記幅の両端を規定可能としている、
ことを特徴とする記録装置。
【請求項２７】
請求項２６記載の記録装置であって、
一対の前記ガイド部材のうちの一方のガイド部材は、前記第２トレイ部材の幅方向に沿ってスライド可能に設けられている可動ガイド部材である、
ことを特徴とする記録装置。
【請求項２８】
請求項２７記載の記録装置であって、
前記可動ガイド部材と前記筐体との間には、前記インクチューブの通過に対応したスペーサーが設けられている、
ことを特徴とする記録装置。
【発明の詳細な説明】
【技術分野】
【０００１】
本発明は、記録装置に関する。
【背景技術】
【０００２】
記録装置の中には、たとえば特許文献１および特許文献２に示すように、インクを蓄える外部タンクを用いて、記録装置が備える記録ヘッドにインクを供給するものがある。このような記録装置においては、記録装置の筐体の外部に外部タンクを設置し、その外部タンクから、筐体内部に存在する記録ヘッドにインクチューブを介してインクを供給可能としている。
【先行技術文献】
【特許文献】
【０００３】
【特許文献１】中華人民共和国実用新案公告ＣＮ２８２５２８９Ｙ号
【特許文献２】中華民国専利公報公告５３８９０９号
【発明の概要】
【発明が解決しようとする課題】
【０００４】
特許文献１および特許文献２に開示の構成においては、インクチューブには、キャリッジから外部タンクに向かう場合に、キャリッジよりも上方側に向かうか、またはキャリッジよりも正面側に向かって延伸する部分が存在している。そのため、記録用紙が搬送経路の途中にて詰まる等し、その記録用紙を除去する必要がある場合には、ユーザーはインクチューブを避けながら手を搬送経路に差し込む等しなければならない。そのため、特許文献１および特許文献２に示す構成では、インクチューブが記録用紙の除去の際に邪魔になる。
【０００５】
本発明は上記の事情にもとづきなされたもので、その目的とするところは、記録媒体の除去を良好に行うことが可能な記録装置を提供しよう、とするものである。
【課題を解決するための手段】
【０００６】
上記課題を解決するために、本発明の記録装置は、記録媒体を搬送する搬送方向の上流側に設けられると共に、筐体に設けられている第１開口部から記録媒体を送り込むことが可能な給紙トレイと、給紙トレイに設けられ、記録媒体の幅を規定し、筐体に対して対向して設けられるガイド部材と、ガイド部材と筐体との間の隙間部分を通過させると共に、筐体の外部に設けられるインク収容部からキャリッジに取り付けられている記録ヘッドに向けてインクを供給するインクチューブと、を具備することを特徴としている。
【０００７】
このように構成する場合には、ガイド部材と筐体との間の隙間部分を通して、インクチューブを筐体の外部に導出させることが可能となる。そのため、筐体の内部で詰まった記録媒体を除去する際に、インクチューブが邪魔になるのを防止可能となり、記録媒体を容易に除去することが可能となり、記録装置のメンテナンス性を向上させることが可能となる。
【０００８】
また、本発明の他の側面は、上述の発明において、ガイド部材は一対設けられていて、当該一対のガイド部材は記録媒体の幅の両端を規定可能としていて、一対のガイド部材は、それぞれ筐体と対向して設けられ、一対のガイド部材と筐体との間には、それぞれ隙間部分が設けられると共に、インクチューブは、それぞれの隙間部分を通過させられる、ことが好ましい。
【０００９】
このように構成する場合にも、筐体の内部で詰まった記録媒体の除去を行う際にインクチューブが邪魔にならず、記録装置のメンテナンス性を向上させることが可能となる。
【００１０】
さらに、本発明の他の側面は、上述の発明において、筐体には、第１開口部からの異物の侵入を防ぐ異物受け部材が取り付けられていると共に、異物受け部材は、給紙トレイに対して対向する状態で配置されていて、給紙トレイには、異物受け部材が当接する当接部が設けられていて、異物受け部材と当接部とは互いに固定されている、ことが好ましい。
【００１１】
このように構成する場合には、異物受け部材と当接部との間の固定により、給紙トレイが収納部位に収納されるのを防止可能となる。それにより、その給紙トレイの収納に際して、ガイド部材の収納経路上にインクチューブが位置する場合に、そのインクチューブを切断したり、押し潰してしまうのを防止可能となる。
【００１２】
また、本発明の他の側面は、上述の発明において、一対のガイド部材のうちの一方のガイド部材は、トレイ部材の幅方向に沿ってスライド可能に設けられている可動ガイド部材であると共に、可動ガイド部材と筐体との間には、インクチューブの通過に対応したスペーサーが設けられている、ことが好ましい。
【００１３】
このように構成する場合には、可動ガイド部材を筐体のうち可動ガイド部材と対向する部分に向けて移動させた場合でも、その可動ガイド部材によってインクチューブが押し潰されるのを防止可能となる。
【００１４】
また、本発明の他の側面は、上述の発明において、筐体のうち記録媒体が位置して記録ヘッドにより記録が行われる部位よりもキャリッジを挟んだ反対側には第２開口部が設けられていて、筐体には、開閉カバーが回動可能に設けられていて、この開閉カバーの回動によって第２開口部は開閉させられると共に、キャリッジに対する取付部位から延伸するインクチューブは、キャリッジ側から第２開口部を通過させられて、さらに隙間部分を通過する状態で設けられている、ことが好ましい。
【００１５】
このように構成する場合には、開口部分をインクチューブが通過することにより、インクチューブは筐体の外部側に位置し、その位置からインクチューブは隙間部分へ向かって延伸している。それにより、インクチューブがキャリッジの走査経路上に差し掛かり、キャリッジ４１の走査の障害になるのを防止可能となる。
【００１６】
さらに、本発明の他の側面は、上述の発明において、筐体には、第２開口部から給紙装置に向かう側に天板が設けられていると共に、天板には、インクチューブが固定されている、ことが好ましい。
【００１７】
このように構成する場合には、キャリッジの走査に際して、インクチューブが揺れる等するのを防止可能となり、インクチューブの筐体の内部での挙動を安定化させることが可能となる。
【００１８】
また、本発明の他の側面は、記録媒体を搬送する搬送方向の上流側に設けられると共に、筐体に設けられている第１開口部から記録媒体を送り込むことが可能であり、第１トレイ部材を有すると共にこの第１トレイ部材から延伸可能な第２トレイ部材を有する給紙トレイと、第２トレイ部材の壁部と筐体との間の隙間部分を通過させると共に、筐体の外部に設けられるインク収容部からキャリッジに取り付けられている記録ヘッドに向けてインクを供給するインクチューブと、を具備することを特徴している。
【００１９】
このように構成する場合には、第２トレイ部材と壁部との間の隙間部分を通して、インクチューブを筐体の外部に導出させることが可能となる。そのため、筐体の内部で詰まった記録媒体を除去する際に、インクチューブが邪魔になるのを防止可能となり、記録媒体を容易に除去することが可能となり、記録装置のメンテナンス性を向上させることが可能となる。
【００２０】
さらに、本発明の他の側面は、上述の発明において、壁部は、記録媒体の幅を規定するガイド部材として機能する、ことが好ましい。
【００２１】
このように構成する場合には、ガイド部材を利用して、インクチューブを筐体の外部に導出させることが可能となる。
【００２２】
また、本発明の他の側面は、上述の発明において、第２トレイ部材のうち壁部側には当該第２トレイ部材のうち記録媒体を載置する載置面から離間する側に向かって突出する突起が設けられていて、突起には、インクチューブが引っ掛かる状態で位置している、ことが好ましい。
【００２３】
このように構成する場合には、第２トレイ部材の壁部側の突起にインクチューブが引っ掛けられるので、この突起を利用してインクチューブの位置決めを行ったり、当該インクチューブを引き出す向きを変更することが可能となる。
【００２４】
さらに、本発明の他の側面は、上述の発明において、筐体には、第１開口部からの異物の侵入を防ぐ異物受け部材が取り付けられていて、当該異物受け部材は、給紙トレイに対して対向する位置に設けられている、ことが好ましい。
【００２５】
このように構成する場合には、異物受け部材によって給紙トレイの不使用時には筐体内部に埃等の異物が入り込むのを防止可能となる。
【００２６】
また、本発明の他の側面は、上述の発明において、異物受け部材と突起とは互い固定されている、ことが好ましい。
【００２７】
このように構成する場合には、異物受け部材と突起との間の固定により、給紙トレイが収納部位に収納されるのを防止可能となる。それにより、その給紙トレイの収納に際して、ガイド部材の収納経路上にインクチューブが位置する場合に、そのインクチューブを切断したり、押し潰してしまうのを防止可能となる。
【００２８】
さらに、本発明の他の側面は、上述の発明において、第２トレイ部材には、記録媒体の幅を規定すると共に筐体に対して対向するガイド部材が設けられている、ことが好ましい。
【００２９】
このように構成する場合には、ガイド部材を利用して、インクチューブを筐体の外部に導出させることが可能となる。また、ガイド部材によって記録媒体の幅を規定することが可能となる。
【００３０】
また、本発明の他の側面は、上述の発明において、ガイド部材は一対設けられていて、当該一対のガイド部材は記録媒体の幅の両端を規定可能としている、ことが好ましい。
【００３１】
このように構成する場合には、一対のガイド部材を利用して、インクチューブを筐体の外部に導出させることが可能となる。また、一対のガイド部材によって記録媒体の幅を規定することが可能となる。
【００３２】
また、本発明の他の側面は、上述の発明において、一対のガイド部材のうちの一方のガイド部材は、第２トレイ部材の幅方向に沿ってスライド可能に設けられている可動ガイド部材である、ことが好ましい。
【００３３】
このように構成する場合には、可動ガイド部材を利用して、インクチューブを筐体の外部に導出させることが可能となる。
【００３４】
また、本発明の他の側面は、上述の発明において、可動ガイド部材と筐体との間には、インクチューブの通過に対応したスペーサーが設けられている、ことが好ましい。
【００３５】
このように構成する場合には、可動ガイド部材を筐体のうち可動ガイド部材と対向する部分に向けて移動させた場合でも、その可動ガイド部材によってインクチューブが押し潰されるのを防止可能となる。
【図面の簡単な説明】
【００３６】
【図１】記録装置の構成を示す斜視図である。
【図２】インクチューブが隙間部分から導出される状態を示す概略図である。
【図３】インクチューブの構成を示す部分的な斜視図である。
【図４】インクチューブの構成を示す部分的な斜視図である。
【図５】インクチューブが隙間部分から導出される他の形態を示す概略図である。
【図６】インクチューブが隙間部分から導出される他の形態を示す概略図である。
【図７】インクチューブが突起に引っ掛けられる状態を示す斜視図である。
【図８】インクチューブが突起に引っ掛けられない状態を示す斜視図である。
【図９】インクチューブが背面側の切欠部から導出される状態を示す斜視図である。
【図１０】インクチューブが隙間部分から導出される他の形態を示す概略図である。
【図１１】インクチューブが隙間部分から導出される他の形態を示す概略図である。
【図１２】インクチューブが隙間部分から導出される他の形態を示す概略図である。
【図１３】開閉カバーが完全に閉まるのを防止する状態を示す側面図である。
【図１４】異物受け部材と突起とが固定されている状態を示す側面図である。
【図１５】トレイ部材が固定部材により背面側で固定された状態を示す図である。
【図１６】分割されたインクチューブの継手を介しての接合状態を示す図である。
【図１７】隙間部分にスペーサーが存在する状態を示す図である。
【図１８】一対のガイド部材が共に可動ガイド部材である構成を示す図である。
【図１９】スキャナーユニットを備える記録装置の構成を示す斜視図である。
【図２０】スキャナーユニットを開いた状態の記録装置の構成を示す斜視図である。
【図２１】スキャナーユニットを取り除いた状態の記録装置を示す側面図である。
【図２２】スキャナーユニットを備えない記録装置の構成を示す斜視図である。
【発明を実施するための形態】
【００３７】
以下、本発明の一実施の形態に係る記録装置１０について、図面を参照しながら説明する。なお、以下の説明においては、記録用紙Ｐの搬送方向の下流側を先端部とし、それとは逆の上流側を後端部とする。また、記録用紙Ｐの搬送方向（副走査方向）をＹ方向とし、それとは直交すると共にキャリッジが移動する方向（主走査方向）をＸ方向とする。
【００３８】
また、記録用紙Ｐは、記録媒体の一例に対応するが、たとえばフィルム状部材のような記録用紙Ｐ以外の記録対象物を記録媒体としても良い。
【００３９】
＜１．概要＞
本発明は、記録装置１０において、外部タンク６０に接続されるインクチューブの配置形態に関するものである。以下、そのインクチューブ５０の配置形態に関して、他の形態も含めて順次説明する。なお、以下の発明においては、ＸＹＺ直交座標系を設定して説明する場合があるものの、その中でキャリッジ４１が移動する（走査する）方向をＸ方向とし、記録装置１０の設置面から離間する方向（上下方向）をＺ方向とし、Ｘ方向およびＺ方向と直交する方向（副走査方向）をＹ方向とする。
【００４０】
（インクチューブの配置形態について）
図１は、本発明の記録装置１０の斜視図である。また、図２は本発明の概要に関する記録装置１０のうち、要部を示す概略図である。記録装置１０は筐体２０と、給紙装置３０と、キャリッジ機構４０と、インクチューブ５０とを備えている。また、記録装置１０は、これらの他に、外部タンク６０を備える構成としても良いが、外部タンク６０を備えない構成としても良い。筐体２０には、その背面側に開口部２１（第１開口部に対応）が設けられている。開口部２１は、筐体２０の背面側の一部を切り欠いた部分であって、本実施の形態では、開口部２１は、主走査方向（Ｘ方向）が長手となるように形成されている。
【００４１】
この開口部２１からは、筐体２０の内部に給紙装置３０から記録用紙Ｐを供給可能となっている。給紙装置３０は、給紙トレイ３１と、分離ローラー３２とを有している。給紙トレイ３１は、記録用紙Ｐを載置して、その記録用紙Ｐを背面側からサポートする部分である。給紙トレイ３１は、単数のトレイ部材３１１から構成されていても良いが、複数のトレイ部材３１１から構成されていても良い。給紙トレイ３１が複数のトレイ部材３１１から構成される場合、それら複数のトレイ部材３１１は、記録用紙Ｐの長さに応じて、引き出しおよび収納可能に設けられている。図１に示す記録装置１０では、２段のトレイ部材３１１が図示されているが、図１の記録装置１０では、筐体２０に隠れているトレイ部材３１１が１段存在している。そのため、図１の記録装置１０では、給紙トレイ３１は合計３段のトレイ部材３１１から構成されている。ここで、３段のトレイ部材３１１のうち、最も下段のトレイ部材３１１は第１トレイ部材に対応し、そのトレイ部材３１１（第１トレイ部材）から延伸するトレイ部材３１１は第２トレイ部材に対応する。また、２段のトレイ部材３１１の場合でも、最も下段のトレイ部材３１１は第１トレイ部材に対応し、そのトレイ部材３１１（第１トレイ部材）から延伸するトレイ部材３１１は第２トレイ部材に対応する。なお、搬送方向の下流側から上流側に向かうにつれて、トレイ部材３１１の大きさは徐々に小さく設けられており、大きなトレイ部材３１１の内部空間に小さなトレイ部材３１１が収納されるように設けられている。
【００４２】
なお、図１に示す記録装置１０では、トレイ部材３１１には壁状の固定ガイド部材３３ａが設けられていて、この固定ガイド部材３３ａの下方側には、突起３３１が設けられている。突起３３１は、トレイ部材３１１から離間する向きに向かって突出している。
【００４３】
搬送方向において下流側のトレイ部材３１１には、ガイド部材３３が設けられている。ガイド部材３３は、記録用紙Ｐの幅方向の端部の位置をガイドし、記録用紙Ｐが斜めになった状態で搬送されるのを防ぐ等するための部材である。このガイド部材３３には、固定ガイド部材３３ａと、可動ガイド部材３３ｂとが設けられている。固定ガイド部材３３ａは、トレイ部材３１１に対して固定的に設けられていて、主走査方向（Ｘ方向）における位置移動が不能に設けられている。可動ガイド部材３３ｂは、図２におけるガイド溝３４およびトレイ部材３１１の背面側に設けられる不図示のスライドガイドによって、主走査方向（Ｘ方向）に沿って移動することを可能としている。それにより、記録用紙Ｐの幅に応じて一対のガイド部材３３の間の幅を変更させて、記録用紙Ｐが傾くのを防止しつつ分離ローラー３２側に送り込むことを可能としている。
【００４４】
なお、給紙トレイ３１の搬送方向に設ける下流側の端部には、分離ローラー３２が設けられている。分離ローラー３２は不図示のモーターによって駆動力が与えられことにより回転させられて、記録用紙Ｐを下流側へ搬送可能としている。
【００４５】
また、筐体２０の内部には、キャリッジ４１を備えるキャリッジ機構４０が設けられている。キャリッジ４１は、キャリッジモーター（図示省略）の駆動により、キャリッジ軸４２に沿って主走査方向（Ｘ方向）に移動することを可能としている。なお、キャリッジ４１のうち搬送経路に対向する側には、記録ヘッド４３が取り付けられていて、この記録ヘッド４３からインクを噴射して、記録用紙Ｐに記録画像を形成することを可能としている。
【００４６】
キャリッジ４１には、アダプターＡＰを介してインクチューブ５０の一端側が取り付けられている。このインクチューブ５０の他端側は、筐体２０の外部にある外部タンク６０に接続されている。そして、外部タンク６０からインクチューブ５０およびアダプターＡＰを介して、記録ヘッド４３にインクを供給することを可能としている。なお、キャリッジ４１の中には、メモリーを備えるインクカートリッジを搭載するタイプが存在する。この場合、キャリッジ４１にはメモリーの情報を読み取る接続部が設けられることになるが、そのような接続部に対して、電気的に接続される部分（アダプター側接続部）がアダプターＡＰに設けられる構成としても良い。その場合においては、アダプター側接続部と接続部との間で信号の送受信を行うことにより、記録ヘッド４３が正常に作動する状態とすることが可能である。
【００４７】
ところで、キャリッジ４１と外部タンク６０との間を接続するインクチューブ５０は、以下のように配置されている。キャリッジ４１からインクチューブ５０に沿って進行する場合、図２に示すように、キャリッジ４１から主走査方向（Ｘ方向）における一方側に向かい延伸するインクチューブ５０は、所定だけ一方側に向かって進行した後に、湾曲部５０１を経て延伸する向きが逆転させられる。それにより、インクチューブ５０に沿って進行すると、主走査方向（Ｘ方向）における他方側に向かって進行することになる。そして所定だけ進行すると、インクチューブ５０の転向部５０２に差し掛かる。転向部５０２は、インクチューブ５０の向きを転向させる部分であり、具体的には図２に示すように、インクチューブ５０が主走査方向（Ｘ方向）に沿う状態から開口部２１を経て給紙トレイ３１（トレイ部材３１１）に沿う状態へと、インクチューブ５０の向きを転向させている。
【００４８】
なお、転向部５０２は、インクチューブ５０が給紙トレイ３１（トレイ部材３１１）に沿うようにその方向を転向させられるものであれば、その長さはどのようなものであっても良い。
【００４９】
ここで、図２に示すように、本実施の形態では、転向部５０２を経たインクチューブ５０は、開口部２１の内壁部２１ａ（壁面部に対応）と可動ガイド部材３３ｂの側面部とで挟まれた隙間部分Ｓ１に位置し、この隙間部分Ｓ１を介して筐体２０の外部に導かれる。そして、所定だけ給紙トレイ３１（トレイ部材３１１）に沿ってインクチューブ５０が進行した後に、その給紙トレイ３１（トレイ部材３１１）を離れて、外部タンク６０に向かって進行する。このように、図２に示す構成では、インクチューブ５０は転向部５０２を経て隙間部分Ｓ１に差し掛かり、その隙間部分Ｓ１を通って筐体２０の外部に導かれている。それにより、インクチューブ５０が記録装置１０の上方側や正面側に向かって延伸し、その延伸によって記録用紙Ｐが搬送経路の途中で詰まった際に、ユーザーが手を差し込んで詰まった記録用紙Ｐを除去するのを妨げるのを防止可能となる。
【００５０】
また、図１および図２に示すようにインクチューブ５０を筐体２０の外部に導出する場合には、筐体２０の開口部２１をインクチューブ５０が通過する状態となるので、記録装置１０の開閉カバー７０（図１３参照；たとえば蓋部分、スキャナーユニット１２（図１９参照）等が開閉カバー７０に該当）においてインクチューブ５０が挟まれてしまうのを防止することが可能となる。
【００５１】
また、インクチューブ５０は、図３に示すように、それぞれの種類のインクを導通させるチューブ部分５１が並んで連結される構成となっている。図３に示す構成では、並べられている複数のチューブ部分５１が一体化された構成となっている。しかしながら、それぞれのチューブ部分５１が連結されずに自由に移動可能な構成としても良い。また、図１および図２に示す記録装置１０においては、インクチューブ５０は、図３に示すように、上下方向（Ｚ方向）が幅広となると共に、主走査方向（Ｘ方向）と副走査方向（Ｙ方向）とがなす平面（ＸＹ平面）において曲線を描くように湾曲させられている。しかしながら、インクチューブ５０は、図４に示すように、副走査方向（Ｙ方向）が幅広となると共に、主走査方向（Ｘ方向）と上下方向（Ｚ方向）とがなす平面（ＸＺ平面）において曲線を描くように湾曲させられていても良い。また、インクチューブ５０においては、チューブ部分５１の並びの方向が、当該チューブ部分５１の断面におけるある１つの方向に並ぶものとする以外に、当該断面においてある１つの方向に対して直交する方向にも並べられる配置としても良い。
【００５２】
また、インクチューブ５０は、図２に示す構成では、副走査方向（Ｙ方向）において、湾曲部５０１を経て外部タンク６０に向かう際に、キャリッジ４１よりも手前側に位置し、その後に転向部５０２を経て隙間部分Ｓ１に向かうように曲げられている。しかしながら、インクチューブ５０は、図５に示すように曲げられていても良い。図５に示す構成では、インクチューブ５０は、湾曲部５０１を経て外部タンク６０に向かう際に、キャリッジ４１よりも手前側には位置することなく当該キャリッジ４１の背面側に位置し、その後に転向部５０２を経て隙間部分Ｓ１に向かうように曲げられている。
【００５３】
（他の形態その１）
なお、図１および図２に示す構成では、インクチューブ５０が開口部２１の内壁部２１ａと可動ガイド部材３３ｂの側面部とで挟まれた隙間部分Ｓ１を経て、筐体２０の外部に導出される構成について説明しているが、インクチューブ５０を外部に導出する構成は、図１、図２および図５に示す構成には限らない。たとえば、図６に示すように、インクチューブ５０は、開口部２１の内壁部２１ａと固定ガイド部材３３ａの側面部とで挟まれた隙間部分Ｓ２を経て、外部タンク６０に導出される構成としても良い。このようにインクチューブ５０を導出しても、インクチューブ５０を筐体２０の外部に良好に導出することが可能となる。また、記録用紙Ｐが搬送経路の途中で詰まった際に、ユーザーが手を差し込んで詰まった記録用紙Ｐの除去を妨げるのを防ぐことが可能となる。さらに、図１および図２の場合と同様に、記録装置１０の開閉カバー７０（図１３参照）においてインクチューブ５０が挟まれてしまうのを防止することが可能となる。
【００５４】
なお、図６に示すような隙間部分Ｓ２を経てインクチューブ５０を筐体２０の外部に導出する場合、図７に示すような構成を採用しても良い。図７においては、インクチューブ５０は突起３３１に引っ掛かる状態となっており、その突起３３１への引っ掛かり（当接）の後にインクチューブ５０は外部タンク６０に向かって延伸している。このような構成とする場合には、インクチューブ５０を筐体２０の外部に導出する際に、突起３３１を位置決めとして用いることが可能となる。また、突起３３１を利用して、インクチューブ５０の引き出す向きを変更させることが可能となる。ただし、図８に示すように、突起３３１にインクチューブ５０を引っ掛けずに、筐体２０の外部にインクチューブ５０を導出させる構成を採用しても良い。このような図８に示すインクチューブ５０の導出方向を採用しても、筐体２０からインクチューブ５０を良好に導出させることは勿論可能である。
【００５５】
また、隙間部分Ｓ２の近傍の筐体２０には、図９に示すような切欠部Ｓ３が設けられてる構成としても良い。すなわち、隙間部分Ｓ２が十分な寸法でなかったり、またはインクチューブ５０の筐体２０の内部からの引き出しに余裕を持たせたい場合には、図９に示すような切欠部Ｓ３を設けるように構成しても良い。なお、図９では、隙間部分Ｓ２に切欠部Ｓ３が設けられる構成を示しているが、隙間部分Ｓ２以外の箇所に切欠部Ｓ３を設けても良い。たとえば、隙間部分Ｓ１に切欠部Ｓ３を設けても良く、それ以外の筐体２０に切欠部Ｓ３を設けても良く、筐体２０ではなく給紙装置３０のハウジング等に切欠部Ｓ３を設けても良い。
【００５６】
（他の形態その２）
また、図１０に示すような構成としても良い。図１０では、インクチューブ５０は、２つの隙間部分Ｓ１，Ｓ２を経て、筐体２０の外部に導出される構成となっている。ここで、２つの隙間部分Ｓ１，Ｓ２とは、上述したような開口部２１の内壁部２１ａと可動ガイド部材３３ｂの側面部とで囲まれた隙間部分Ｓ１と、開口部２１の内壁部２１ａと固定ガイド部材３３ａの側面部とで囲まれた隙間部分Ｓ２を指す。
【００５７】
このような２つの隙間部分Ｓ１，Ｓ２からインクチューブ５０を筐体２０の外部に導出させるためには、インクチューブ５０は２つに分岐される必要がある。すなわち、インクチューブ５０には、未分岐チューブ５０ａと第１分岐チューブ５０ｂと第２分岐チューブ５０ｃとが存在している。未分岐チューブ５０ａは、インクチューブ５０のうちキャリッジ４１から分岐部５２までの間における分岐しない部分となっていて、第１分岐チューブ５０ｂはインクチューブ５０のうち分岐部５２から隙間部分Ｓ１を経て外部タンク６０に至るまでの部分であり、第２分岐チューブ５０ｃはインクチューブ５０のうち分岐部５２から隙間部分Ｓ２を経て外部タンク６０に至るまでの部分である。
【００５８】
なお、分岐部５２に隣接して、第１分岐チューブ５０ｂおよび第２分岐チューブ５０ｃのうちの少なくとも一方に、それら分岐チューブ５０ｂ，５０ｃの向きを大きく転向させる部分が存在していても良い。すなわち、図１０に示す構成では、たとえば第２分岐チューブ５０ｃには、分岐部５２から外部タンク６０に向かう際には、分岐部５２を経た後に当該第２分岐チューブ５０ｃの向きを大きく反転させるように湾曲させる湾曲部分５３が存在しているが、第２分岐チューブ５０ｃに限らずに第１分岐チューブ５０ｂにこのような向きを反転させるように湾曲部分５３が存在していても良く、第１分岐チューブ５０ｂと第２分岐チューブ５０ｃの双方にそのような向きを反転させるように湾曲する部分が存在していても良い。
【００５９】
（他の形態その３）
また、図１１に示す構成では、未分岐チューブ５０ａにおいて分岐部５２に到達する手前の部位に、当該未分岐チューブ５０ａの向きを大きく転向させる部位（未分岐転向部５４）が存在していると共に、第１分岐チューブ５０ｂおよび第２分岐チューブ５０ｃのそれぞれに、それら分岐チューブ５０ｂ，５０ｃの向きを転向させるように湾曲させる湾曲部分５３が存在する構成としても良い。この湾曲部分５３は、分岐部５２から上述した転向部５０２の間において分岐チューブ５０ｂ，５０ｃの延伸する向きをそれぞれ主走査方向（Ｘ方向）の両端側に向かうように転向（湾曲）させる部分である。
【００６０】
（他の形態その４）
また、図１２に示すように、開閉カバー７０（図１３参照）を開いたときに天板２２が露出する状態においては、この天板２２にインクチューブ５０のいずれかの部分を固定する固定部材５５が存在するようにしても良い。ただし、キャリッジ４１がキャリッジ軸４２に沿って摺動する際に、当該キャリッジ４１の摺動を妨げない必要がある。そのため、キャリッジ４１が主走査方向（Ｘ方向）における走査の一端側および他端側のいずれに位置した場合でも、インクチューブ５０は、その固定部材５５と一端側、または固定部材５５と他端側のうちのいずれか長い方を結んだ長さよりも所定だけ長くなるように設けられている。なお、図１２に示す構成では、筐体２０の内部のうち、天板２２で囲まれていない部分は、開口部分２３（第２開口部に対応）となっている。
【００６１】
ここで、図１２に示す構成において、開閉カバー７０を閉じたときにインクチューブ５０が開閉カバー７０と天板２２との間に挟まれて、インクチューブ５０が押し潰される場合には、図１３に示すような構成としても良い。図１３では、筐体２０のいずれかの部位には、ボス２４が設けられている。このボス２４は、開閉カバー７０を閉じた場合でも、当該開閉カバー７０と天板２２との間にインクチューブ５０を押し潰さない程度以上の隙間を確保するための部分である。
【００６２】
（他の形態その５）
また、図１４に示すように、記録装置１０が開口部２１からの異物の進入を防ぐための異物受け部材８０を備える場合がある。図１４に示す構成では、異物受け部材８０は、固定ガイド部材３３ａまたは可動ガイド部材３３ｂの少なくとも１つに存在する突起３３１（当接部に対応）によって受け止められる構成となっている。この突起３３１は、図１４に示すように、固定ガイド部材３３ａまたは可動ガイド部材３３ｂの少なくとも１つから突出していて、しかも、トレイ部材３１１から離間する向きに向かって突出している。そのため、図１４に示す状態では、突起３３１は、固定ガイド部材３３ａまたは可動ガイド部材３３ｂの他の部分よりも、正面側に位置するように設けられていて、それによって突起３３１が異物受け部材８０に当接可能となっている。
【００６３】
このような構成において、給紙トレイ３１が複数のトレイ部材３１１によって構成される場合には、トレイ部材３１１を収納すると、突起３３１がインクチューブ５０を押し潰したり、インクチューブ５０を切断してしまう虞がある。すなわち、突起３３１は最も下方に位置するトレイ部材３１１のガイド部材３３に設けられている。そして、トレイ部材３１１が引き出された状態ではガイド部材３３も上方に位置する状態となるため、隙間部分Ｓ１，Ｓ２は相対的に上方に位置することになる。一方、トレイ部材３１１が引き出された状態では、隙間部分Ｓ１，Ｓ２よりも筐体２０の内部側に位置するインクチューブ５０は、トレイ部材３１１が収納されていた際に位置していた部位に位置するように、筐体２０の中央に向かって湾曲等した状態で存在することがある。このような状態において、下方のトレイ部材３１１を収納部位に収納すると、その収納に際して、ガイド部材３３の収納経路上（収納経路の下方側）に位置しているインクチューブ５０を切断したり、押し潰してしまう虞がある。
【００６４】
そのような事態が生じるのを防ぐべく、異物受け部材８０と突起３３１とを固定部材８２を介して固定するようにしても良い。この固定部材８２は、異物受け部材８０とトレイ部材３１１（突起３３１）との相対的な位置を変更させないものであり、たとえばテープ部材、接着剤、クリップ部材、ワイヤ等の結束手段等を用いることが可能である。
【００６５】
また、図１４に代えて、図１５に示すような構成としても良い。図１５は、記録装置１０の背面側から見た状態を示す図であるが、この図１５に示すように、最も下方に位置するトレイ部材３１１が収納部位に収納されないように、収納部位とトレイ部材３１１とを固定部材８３で固定するようにしても良い。この場合、固定部材８３としては、上述した固定部材８２と同様の部材を用いても良い。
【００６６】
（他の形態その６）
また、図１６に示すように、インクチューブ５０を分割可能に構成しても良い。すなわち、インクチューブ５０が長いと、その取扱いが面倒になる場合がある。そのような場合に対応させて、図１６に示すように、インクチューブ５０が分割可能な構成としても良い。図１６に示す構成では、それぞれ分割されたインクチューブ５０は継手９０を介して接合可能となっている。ただし、この継手９０は、上述した隙間部分Ｓ１，Ｓ２を通過させる必要があるため、その隙間部分Ｓ１，Ｓ２を通過可能な程度に小さく形成されている必要がある。しかしながら、継手９０自体がそれぞれ分割されたインクチューブ５０に後に接続される構成としても良く、その場合には継手９０が隙間部分Ｓ１，Ｓ２よりも大きく設けられていても良い。また、それぞれのチューブ部分５１毎に継手９０が設けられる構成としても良く、その場合には、継手９０は図１６に示す継手９０よりも小さくすることが可能である。
【００６７】
なお、分割されたインクチューブ５０のうち継手９０が存在する側とは反対側の端部には、上述したアダプターＡＰが取り付けられていても良く、当該反対側の端部には外部タンク６０が接続されていても良い。また、継手９０の接続構造は、たとえば嵌合方式、捻じ込み方式等、どのようなものであっても良い。
【００６８】
（他の形態その７）
また、図１７に示すように、可動ガイド部材３３ｂと、その可動ガイド部材３３ｂに対向する内壁部２１ａとの間に、スペーサー１００を設けるようにしても良い。すなわち、可動ガイド部材３３ｂがスライドすることによって隙間部分Ｓ１が狭くなり、インクチューブ５０が押し潰されてしまう虞がある場合には、図１７に示すようなスペーサー１００を設けるようにする。それにより、インクチューブ５０が押し潰されるのを防止可能となる。
【００６９】
（他の形態その８）
また、図１８に示すように、一対のガイド部材３３が共に可動ガイド部材３３ｂとなっている場合もある。一対の可動ガイド部材３３ｂにより記録用紙Ｐのガイドを行う場合、当該可動ガイド部材３３ｂは、互いに主走査方向（Ｘ方向）において対称となるように移動し、それにより記録用紙Ｐは給紙トレイ３１の載置面の中央側で向きが揃えられる状態となる（いわゆるセンター合わせされる）。このような構成においては、図１に示すような隙間部分Ｓ１が２つ存在することになるが、かかる隙間部分Ｓ１の少なくとも１つを経てインクチューブ５０を外部に導出させるようにしても良い。
【００７０】
以上が本発明の概要であるが、これら上述した図１〜図１８に関する構成同士が組み合わせ可能である場合には、適宜組み合わせる構成とすることが可能である。たとえば、図３におけるインクチューブ５０の配置形態、図４におけるインクチューブ５０の配置形態、図７における突起３３１へインクチューブ５０を引っ掛ける形態、図８における突起３３１へインクチューブ５０を引っ掛けない形態、図９における切欠部Ｓ３からのインクチューブ５０の導出、図１２における固定部材５５、図１３におけるボス２４、図１４における固定部材８２、図１５における固定部材８３、図１６における継手９０、図１７におけるスペーサー１００の中から少なくとも１つを、図１、図２、図５、図６、図１０、図１１、図１６におけるインクチューブ５０の導出に関する構成に適用するようにしても良い。
【００７１】
＜２．記録装置１０の具体的な構成について＞
以下、記録装置１０の具体的な構成について図１９〜図２２に基づいて説明する。なお、以下においては、図１および図２に基づいて既に説明したように、インクチューブ５０が可動ガイド部材３３ｂと内壁部２１ａとの間に存在する隙間部分Ｓ１を通って筐体２０の外部に導かれる場合について説明する。
【００７２】
ただし、インクチューブ５０の導出に関する構成について、図１および図２以外の構成とすることは勿論可能である。換言すると、図１９〜図２２における記録装置１０においては、適宜の変更を加えることにより、図１、図２、図５、図６、図１０、図１１、図１８におけるインクチューブ５０の導出に関する構成を適用することは勿論可能であり、その際に、図３におけるインクチューブ５０の配置形態、図４におけるインクチューブ５０の配置形態、図１２における固定部材５５、図１３におけるボス２４、図１４における固定部材８２、図１５における固定部材８３、図１６における継手９０、図１７におけるスペーサー１００の中から少なくとも１つを適用するようにしても良い。
【００７３】
（２−１）スキャナーユニット１２を備える記録装置１０について
図１９は、スキャナーユニット１２を備える記録装置１０の構成を示す斜視図である。また、図２０は、スキャナーユニット１２を開いた状態の構成を示す斜視図である。この記録装置１０は、プリンタユニット１１と、スキャナーユニット１２（開閉カバーに対応）と、各駆動部位の制御を司る制御部（図示省略）を備えている。プリンタユニット１１は、上述した図１および図２等における記録装置１０に関する構成が存在する部分であり、筐体２０と、給紙装置３０と、キャリッジ機構４０と、インクチューブ５０とを備えている。筐体２０は、記録装置１０の内部を覆う部分であり、図２０に示すように、筐体２０は天板２２を備えている。そして、インクチューブ５０は、天板２２を通過した後に、隙間部分Ｓ１に導かれる構成となっている。
【００７４】
図２１は、記録装置１０の側面図であり、スキャナーユニット１２を取り除いた状態の構成を示す図である。この図２１に示すように、記録装置１０の背面側には、給紙装置３０の構成要素となる給紙トレイ３１が設けられている。給紙トレイ３１は、複数（たとえば２〜３つ等）のトレイ部材３１１を引き出し可能としていて、かかるトレイ部材３１１を引き出すことにより、給紙トレイ３１にて記録用紙Ｐを支持可能としている。また、図１９に示すように、記録装置１０には、給紙トレイ３１（図１９では図示省略；図１４参照）に近接して、異物受け部材８０が設けられている。図１９においては、トレイ部材３１１が収納されると共に、異物受け部材８０が上述した開口部２１を含む給紙のための開口部分を狭める（塞ぐ場合も含む）ように位置している。なお、異物受け部材８０は、主走査方向（Ｘ方向）の両端側の軸部を介して回動可能に設けられていて、それにより異物受け部材８０は、上述のように開口部分を狭める位置に位置する場合と、開口部分を開放する位置に位置する場合とを切り替え可能としている。
【００７５】
また、図２１に示すように、給紙装置は、記録用紙を給紙トレイ３１（トレイ部材３１１）から供給するための分離ローラー３２を有している。分離ローラー３２は、給紙トレイ３１（トレイ部材３１１）に存在する記録用紙Ｐと接触しつつ回転することにより、接触している最上位の記録用紙Ｐを下流側へ給送する。なお、分離ローラー３２には、不図示の駆動力伝達手段を介して、不図示の駆動モーターの駆動力が与えられ、それによって分離ローラー３２が回転駆動させられる。
【００７６】
また、分離ローラー３２よりも搬送方向（Ｙ方向）における下流側には、給紙ローラー３５ａが設けられている。給紙ローラー３５ａは、給紙従動ローラー３５ｂと対向していて、分離ローラー３２側から供給される記録用紙Ｐを搬送方向（Ｙ方向）における下流側の記録ヘッド４３との対向部位に搬送可能としている。この給紙ローラー３５ａには、不図示の給紙モーターによって駆動力が与えられる。また、給紙ローラー３５ａよりも搬送方向（Ｙ方向）における下流側には、プラテン３６が設けられていて、そのプラテン３６と記録ヘッド４３とが対向可能に設けられている。また、プラテン３６よりも搬送方向（Ｙ方向）における下流側には、排紙ローラー対３７が設けられている。排紙ローラー対３７は、排紙駆動ローラー３７ａと、排紙従動ローラー３７ｂとを具備している。排紙駆動ローラー３７ａは、不図示のモーターによって回転駆動させられる。また、排紙従動ローラー３７ｂは、不図示のバネによって排紙駆動ローラー３７ａに圧接されている。
【００７７】
また、キャリッジ機構４０は、キャリッジ４１と、キャリッジ軸４２と、記録ヘッド４３と、ベルト４４と、従動プーリー４５と、歯車プーリー（図示省略）およびキャリッジモーター（図示省略）を備えている。キャリッジ４１は、上述したアダプターＡＰを取り付け可能に設けられている。また、図２１に示すように、キャリッジ４１の下面には、インク滴を噴射可能な記録ヘッド４３が設けられている。
【００７８】
また、ベルト４４は、無端ベルトであり、その一部がキャリッジ４１の背面に固定されている。このベルト４４は、従動プーリー４５と歯車プーリーとによって張設されている。
【００７９】
また、インクチューブ５０は、図２０および図２１に示す構成では、キャリッジ４１の正面側（記録用紙Ｐの搬送方向の下流側）に取り付けられている。しかしながら、インクチューブ５０は、キャリッジ４１の上面側に取り付けられていても良く、キャリッジ４１の背面側に取り付けられていても良く、キャリッジ４１の側面側に取り付けられていても良い。
【００８０】
図２０および図２１に示す構成では、インクチューブ５０は、その幅方向は、搬送方向（Ｙ方向）よりも上下方向（Ｚ方向）に近い向きに沿って配置されている。そして、インクチューブ５０のキャリッジ４１に対する取付部位から、インクチューブ５０に沿ってキャリッジ４１から離れるにつれて、インクチューブ５０は、主走査方向（Ｘ方向）の一端側から他端側に向かうように大きく向きを変える。その後インクチューブ５０の位置は上方に移行し、さらにその後インクチューブ５０は、奥側に向かうように曲げられ、天板２２を通過した後に隙間部分へと導かれ、その隙間部分を通って筐体２０の外部へと導出される。そして、外部へと導出されたインクチューブ５０は、それぞれのインク色のインクを流通させるチューブ部分５１が１つに束ねられている状態から分離され、チューブ部分５１がそれぞれの色のインクを貯留している外部タンクへと接続される。
【００８１】
なお、インクチューブ５０の幅方向は、上下方向（Ｚ方向）よりも搬送方向（Ｙ方向）に近い向きに沿って配置されていても良い。
【００８２】
また、スキャナーユニット１２は、ヒンジ部分を介してプリンタユニット１１に対して開閉可能に設けられている。このスキャナーユニット１２は、不図示の原稿台を具備しており、この原稿台に読取対象物が載置可能となっている。このスキャナーユニット１２は、イメージセンサを備えるスキャナー用キャリッジと、キャリッジ駆動機構と、各駆動部位の制御を司る制御部等を備えている（いずれも図示省略）。そして、原稿台に載置された読取対象物に対して、制御部での制御によってキャリッジ駆動機構によってスキャナー用キャリッジのイメージセンサが相対的に移動させられ、それにより読取対象物が読み取られる。
【００８３】
以上のように、図１９〜図２１に示すような記録装置１０においても、隙間部分Ｓ１を介して、インクチューブ５０を筐体２０の外部に良好に導出させることが可能となっている。
【００８４】
（２−２）スキャナーユニットを備えない記録装置１０について
図２２は、スキャナーユニットを備えない記録装置１０の構成を示す斜視図である。この記録装置１０は、上述した記録装置１０のプリンタユニット１１に対応する構成を備えている。そのため、各部位の詳細のうち、共通する構成についての説明および図示は省略する。
【００８５】
図２２に示す記録装置１０は、開閉カバー７０を備えていて、この開閉カバー７０を開いた状態では、キャリッジ４１およびインクチューブ５０に手で触れることが可能となっている。
【００８６】
図２２に示す構成では、インクチューブ５０は、キャリッジ４１の上面側に取り付けられている。しかしながら、インクチューブ５０は、キャリッジ４１の正面側（記録用紙Ｐの搬送方向の下流側）に取り付けられていても良く、キャリッジ４１の背面側に取り付けられていても良く、キャリッジ４１の側面側に取り付けられていても良い。
【００８７】
このインクチューブ５０の幅方向は、上下方向よりも搬送方向（Ｙ方向）に近い向き（ほとんど搬送方向に沿う場合も含む）に沿って配置されている。ただし、インクチューブ５０の幅方向は、搬送方向（Ｙ方向）よりも上下方向（Ｚ方向）に近い向き（ほとんど上下方向に沿う場合も含む）に沿って配置されていても良い。
【００８８】
図２２に示す構成では、インクチューブ５０のキャリッジ４１に対する取付部位から、インクチューブ５０に沿ってキャリッジ４１から離れるにつれて、インクチューブ５０は、主走査方向（Ｘ方向）の一端側から他端側に向かうように大きく向きを変える。その後インクチューブ５０の位置は上方に移行し、さらにその後インクチューブ５０は、奥側に向かうように曲げられ、プーリー等を支持するフレーム板２５を通過した後に隙間部分Ｓ１へと導かれ、その隙間部分Ｓ１を通って筐体２０の外部へと導出される。そして、外部へと導出されたインクチューブ５０は、それぞれのインク色のインクを流通させるチューブ部分５１が１つに束ねられている状態から分離され、チューブ部分５１がそれぞれの色のインクを貯留している外部タンク６０へと接続される。
【００８９】
以上のように、図２２に示すような記録装置１０においても、隙間部分Ｓ１を介して、インクチューブ５０を筐体２０の外部に良好に導出させることが可能となっている。
【００９０】
＜３．効果＞
以上、上述において説明した記録装置１０によると、ガイド部材３３の少なくとも１つと、そのガイド部材３３の少なくとも１つに対向する内壁部２１ａとの間の隙間部分Ｓ１，Ｓ２にインクチューブ５０を通して、インクチューブ５０を筐体２０の外部に導出させることが可能となる。そのため、開閉カバー７０を開いたときに筐体２０に存在する開口部分２３から、ユーザーは容易に手を差し込む等することが可能となり、筐体２０の内部で詰まった記録用紙Ｐを容易に除去することが可能となる。すなわち、本発明の適用により、筐体２０の内部で詰まった記録用紙Ｐの除去を行う際にインクチューブ５０が邪魔にならず、記録装置１０のメンテナンス性を向上させることが可能となる。
【００９１】
また、本発明の記録装置１０においては、インクチューブ５０が隙間部分Ｓ１，Ｓ２の少なくとも一方を通過して筐体２０の外部へと導かれるため、インクチューブ５０が開閉カバー７０等によって押し潰される等するのを防ぐことが可能となる。
【００９２】
また、本発明の記録装置１０においては、図１０および図１１に示すように、インクチューブ５０が隙間部分Ｓ１と隙間部分Ｓ２の両方を通過させるようにすることも可能である。このように構成する場合にも、筐体２０の内部で詰まった記録用紙Ｐの除去を行う際にインクチューブ５０が邪魔にならず、記録装置１０のメンテナンス性を向上させることが可能となる。また、インクチューブ５０が隙間部分Ｓ１，Ｓ２の両方を通過して筐体２０の外部へと導かれるため、インクチューブ５０が開閉カバー７０等によって押し潰される等するのを防ぐことが可能となる。
【００９３】
さらに、図１４に示すように、本発明の記録装置１０においては、異物受け部材８０が突起３３１に当接した状態を維持するように、異物受け部材８０と突起３３１とを固定部材８２を介して固定するように構成することも可能である。このように構成する場合には、トレイ部材３１１が収納部位に収納されるのを防止可能となり、そのトレイ部材３１１の収納に際して、突起３３１がガイド部材３３の収納経路上（収納経路の下方側）に位置しているインクチューブ５０を切断したり、押し潰してしまうのを防止可能となる。なお、図１４に示す固定部材８２に代えて、図１５に示すような固定部材８３を用いるようにしても良い。このように構成する場合にも、トレイ部材３１１の収納に際して、突起３３１がインクチューブ５０を切断したり、押し潰したりするのを防止可能となる。
【００９４】
また、図１７に示すように、本発明の記録装置１０においては、可動ガイド部材３３ｂと内壁部２１ａとの間には、スペーサー１００を設けることも可能である。このように構成する場合には、可動ガイド部材３３ｂを内壁部２１ａに向けて移動させた場合でも、その可動ガイド部材３３ｂによってインクチューブ５０が押し潰されるのを防止可能となる。
【００９５】
また、本発明の記録装置１０においては、インクチューブ５０は、開口部分２３（図１２参照）を通過して筐体２０の内部から飛び出した後に天板２２に位置し、その後にインクチューブ５０が隙間部分Ｓ１，Ｓ２を通過するように構成することも可能である。このように構成する場合には、インクチューブ５０の一部が天板２２上に位置するため、この天板２２によってインクチューブ５０が支持される。それにより、インクチューブ５０がキャリッジ４１の走査経路上に差し掛かり、キャリッジ４１の走査の障害になるのを防止可能となる。
【００９６】
さらに、図１２に示すように、本発明の記録装置１０においては、天板２２に固定部材５５を介してインクチューブ５０の一部を固定するように構成することも可能である。このように構成する場合には、キャリッジ４１の走査に際して、インクチューブ５０が揺れる等するのを防止可能となり、インクチューブ５０の筐体２０の内部での挙動を安定化させることが可能となる。
【００９７】
＜４．変形例＞
以上、本発明の一実施の形態について述べたが、本発明は、種々変形可能である。以下、それについて述べる。
【００９８】
（４−１）変形例その１
上述の実施の形態では、インクチューブ５０はアダプターＡＰを介してキャリッジ４１に接続されている。しかしながら、アダプターＡＰによらずにインクチューブ５０がキャリッジ４１に接続される構成を採用しても良い。たとえば、キャリッジ４１にインクカートリッジを搭載する代わりにインクを貯留するサブタンクが設けられている構成においては、サブタンクに対してインクが導通可能な状態にインクチューブ５０を接続するように構成しても良い。
【００９９】
（４−２）変形例その２
また、上述の実施の形態（他の形態等を含む。以下同様。）においては、隙間部分Ｓ１，Ｓ２は、筐体２０の開口部２１の内壁部２１ａと、ガイド部材３３との間に存在するものとしている。しかしながら、隙間部分Ｓ１，Ｓ２は、これ以外の部分に存在するものであっても良い。たとえば、開口部２１に給紙装置３０が位置し、この給紙装置３０の筐体部分の内壁部と、ガイド部材３３との間に隙間部分Ｓ１，Ｓ２が存在するものであっても良い。このように構成する場合でも、筐体２０の内部で詰まった記録用紙Ｐの除去を行う際にインクチューブ５０が邪魔にならず、記録装置１０のメンテナンス性を向上させることが可能となる。また、インクチューブ５０が隙間部分Ｓ１，Ｓ２の両方を通過して筐体２０の外部へと導かれるため、インクチューブ５０が開閉カバー７０等によって押し潰される等するのを防ぐことが可能となる。
【０１００】
（４−３）変形例その３
また、上述の実施の形態では、隙間部分Ｓ１と隙間部分Ｓ２のうちの少なくとも一方は、筐体２０の開口部２１の内壁部２１ａと、ガイド部材３３との間に存在するものとしている。しかしながら、隙間部分Ｓ１と隙間部分Ｓ２のうちの少なくとも一方は、筐体２０の開口部２１の内壁部２１ａと、トレイ部材３１１（特にトレイ部材３１１の端部に位置する壁部）との間に存在するものであっても良い。すなわち、ガイド部材３３が存在するか否かに拘わらず、内壁部２１ａとトレイ部材３３１との間に存在する部分を、隙間部分Ｓ１，Ｓ２としても良い。このように構成する場合でも、隙間部分Ｓ１と隙間部分Ｓ２のうちの少なくとも一方を利用して、インクチューブ５０を筐体部２０の外部に良好に導出させることが可能となる。なお、この場合において、特に上述した第２トレイ部材に対応するトレイ部材３１１と内壁部２１ａとの間の隙間部分Ｓ１と隙間部分Ｓ２のうちの少なくとも一方を利用して、インクチューブ５０を筐体部２０の外部に良好に導出させることが好ましい。
【０１０１】
（４−４）変形例その４
また、上述のように、筐体２０の開口部２１の内壁部２１ａと、トレイ部材３１１（特にトレイ部材３１１の端部に位置する壁部）との間に存在する隙間部分（隙間部分Ｓ１と隙間部分Ｓ２のうちの少なくとも一方）を利用してインクチューブ５０を筐体２０の外部に導出させる場合（変形例その３の場合）には、そのトレイ部材３１１の壁部がガイド部材３３として機能しても良い。
【０１０２】
（４−５）変形例その５
また、上述した実施の形態では、図７に示すように、インクチューブ５０は突起３３１に引っ掛かる状態となっており、その突起３３１への引っ掛かり（当接）の後にインクチューブ５０は外部タンク６０に向かって延伸している。しかしながら、以下のように構成しても良い。すなわち、上記の変形例その３や、変形例その４の場合において、トレイ部材３１１の壁部側に突起３３１を設ける。そして、筐体２０の開口部２１の内壁部２１ａと、トレイ部材３１１（特にトレイ部材３１１の端部に位置する壁部）との間に存在する隙間部分（隙間部分Ｓ１と隙間部分Ｓ２のうちの少なくとも一方）を利用してインクチューブ５０を筐体２０の外部に導出させる場合に、上述の突起３３１にインクチューブ５０を引っ掛け、その突起３３１への引っ掛かり（当接）の後にインクチューブ５０が外部タンク６０に向かって延伸する構成としても良い。この場合、トレイ部材３１１にガイド部材３３がなくても突起３３１が存在する構成となるが（勿論、トレイ部材３１１にガイド部材３３があっても良い）、このような構成においても、突起３３１をインクチューブ５０のを位置決めとして用いることが可能となる。また、突起３３１を利用して、インクチューブ５０の引き出す向きを変更させることが可能となる。
【０１０３】
（４−６）変形例その６
なお、上述の変形例その３から変形例その５の各場合において、図１４に示すような異物受け部材８０を設けるように構成しても良い。この場合においても、異物受け部材８０が突起３３１によって受け止められる状態とし、さらに固定部材８２で異物受け部材８０と突起３３１とを固定するようにしても良い。このようにすることで、筐体２０の開口部２１の内壁部２１ａと、トレイ部材３１１（特にトレイ部材３１１の端部に位置する壁部）との間に存在する隙間部分（隙間部分Ｓ１と隙間部分Ｓ２のうちの少なくとも一方）を利用してインクチューブ５０を筐体２０の外部に導出させる場合において、トレイ部材３１１を収納した場合でも、インクチューブ５０が突起３３１によって切断されたり、押し潰されるのを防止可能となる。
【０１０４】
（４−７）変形例その７
なお、上述の変形例その３から変形例その６の各場合において、トレイ部材３１１（特に第２トレイ部材に対応するトレイ部材３１１）に、ガイド部材３３を設けるようにしても良い。特に、ガイド部材３３が筐体２１の内壁部２１ａと対向する構成とし、かかるガイド部材３３によって記録用紙Ｐの幅が規定されるようにしても良い。この場合において、固定ガイド部材３３ａまたは可動ガイド部材３３ｂのいずれかをトレイ部材３１１に設けるようにしても良いが、固定ガイド部材３３ａと可動ガイド部材３３ｂの両方（すなわち、一対のガイド部材３３）をトレイ部材３１１に設けるようにしても良い。そして、かかる一対のガイド部材３３によって、記録用紙Ｐの両端を規定可能としても良い。
【０１０５】
（４−８）変形例その８
また、上述の変形例その７の各場合において、隙間部分Ｓ１に図１７に示すようなスペーサー１００を設けるように構成しても良い。すなわち、筐体２０の開口部２１の内壁部２１ａと、トレイ部材３１１（特にトレイ部材３１１の端部に位置する壁部）との間に隙間部分Ｓ１があり、さらに可動ガイド部材３３ｂがトレイ部材３１１（特に第２トレイ部材に対応するトレイ部材３１１）に存在する場合に、隙間部分Ｓ１に図１７に示すようなスペーサー１００を設けるように構成しても良い。それにより、可動ガイド部材３３ｂがスライドすることによって隙間部分Ｓ１が狭くなり、インクチューブ５０が押し潰されてしまう虞がある場合においても、インクチューブ５０が押し潰されるのを防止可能となる。
【０１０６】
（４−９）変形例その９
また、上述の実施の形態では、記録ヘッド４３は、キャリッジ４１に取り付けられていて、このキャリッジ４１の主走査方向における移動と共に記録ヘッド４３の主走査方向に沿って移動するものとなっている。しかしながら、記録ヘッド４３は、たとえば記録用紙Ｐの幅方向に沿って長手に設けられるラインヘッドであっても良い。ラインヘッドの場合であっても、上述の実施の形態と同様に、筐体２０の内部で詰まった記録用紙Ｐの除去を行う際にインクチューブ５０が邪魔にならず、記録装置１０のメンテナンス性を向上させることが可能となる。また、インクチューブ５０が隙間部分Ｓ１，Ｓ２の両方を通過して筐体２０の外部へと導かれるため、インクチューブ５０が開閉カバー７０等によって押し潰される等するのを防ぐことが可能となる。
【０１０７】
（４−１０）変形例その１０
また、上述の実施の形態における図面では、インクチューブ５０は、４本のチューブ部分５１を有するものが示されていて、かかる４本のチューブ部分５１は、シアン、マゼンタ、イエロー、ブラックの４色に対応したものとなっている。しかしながら、インクチューブ５０におけるチューブ部分５１の本数は４本に限られるものではなく、３本以上（３本の場合にはシアン、マゼンタ、イエローの３色に対応））であれば何本あっても良い。また、たとえばライトシアン、ライとマゼンタ、ライトイエロー、ライトグレー等のようなインクを供給するためのチューブ部分５１が設けられる構成を採用しても良い。
【０１０８】
なお、１色のインクに、１個のチューブ部分５１が対応していることが好ましいが、１色のインクに、並列に設けられた２本以上のチューブ部分５１が対応して、同時に２本以上のチューブ部分５１にてある１色のインクを供給するようにしても良い。
【０１０９】
（４−１１）変形例その１１
また、上述の実施の形態において、記録装置１０の概念には、インク以外の他の液体（液体そのものや、機能材料の粒子が液体に分散又は混合されてなる液状体、ゲルのような流動性を有する材質を含む）を噴射したり噴射したりする流体噴射装置を含むようにすることもできる。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【０１１０】
（４−１２）変形例その１２
さらに、本発明の記録装置１０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【０１１１】
１０…記録装置、１１…プリンタユニット、１２…スキャナーユニット（開閉カバーの一例に対応）、２０…筐体、２１…開口部、２１ａ…内壁部（壁面部の一例に対応）、２２…天板、２３…開口部分、２４…ボス、２５…フレーム板、３０…給紙装置、３１…給紙トレイ、３２…分離ローラー、３３…ガイド部材、３３ａ…固定ガイド部材、３３ｂ…可動ガイド部材、３４…ガイド溝、３５ａ…給紙ローラー、３５ｂ…給紙従動ローラー、３６…プラテン、３７…排紙ローラー対、３７ａ…排紙駆動ローラー、３７ｂ…排紙従動ローラー、４０…キャリッジ機構、４１…キャリッジ、４２…キャリッジ軸、４３…記録ヘッド、４４…ベルト、４５…従動プーリー、５０…インクチューブ、５０ａ…未分岐チューブ、５０ｂ…第１分岐チューブ、５０ｃ…第２分岐チューブ、５１…チューブ部分、５２…分岐部、５３…湾曲部分、５４…未分岐転向部、５５…固定部材、６０…外部タンク、７０…開閉カバー、８０…異物受け部材、８２…固定部材、８３…固定部材、９０…継手、１００…スペーサー、３１１…トレイ部材、３３１…突起、５０１…湾曲部、５０２…転向部、ＡＰ…アダプター、Ｐ…記録用紙（記録媒体の一例に対応）、Ｓ１，Ｓ２…隙間部分
【図１】
2013202933.tif 000003
【図２】
2013202933.tif 000004
【図３】
2013202933.tif 000005
【図４】
2013202933.tif 000006
【図５】
2013202933.tif 000007
【図６】
2013202933.tif 000008
【図７】
2013202933.tif 000009
【図８】
2013202933.tif 000010
【図９】
2013202933.tif 000011
【図１０】
2013202933.tif 000012
【図１１】
2013202933.tif 000013
【図１２】
2013202933.tif 000014
【図１３】
2013202933.tif 000015
【図１４】
2013202933.tif 000016
【図１５】
2013202933.tif 000017
【図１６】
2013202933.tif 000018
【図１７】
2013202933.tif 000019
【図１８】
2013202933.tif 000020
【図１９】
2013202933.tif 000021
【図２０】
2013202933.tif 000022
【図２１】
2013202933.tif 000023
【図２２】
2013202933.tif 000024